(57)【要約】【課題】現実の使い勝手や安全性に優れ、既存の浴槽にも容易に適用でき、且つ安価に製造することが可能な入浴補助座具及び身体障害者用浴槽装置の提供。【解決手段】浴槽２、浴槽２の一角部外壁に嵌合する脱着自在の外側補助座具３及び内側補助座具４を備える。外側補助座具３は、く字型の嵌合部が形成され嵌合部以外の周縁辺が弧状に形成された天板５と、嵌合部の切欠内に突出しないように、天板５の下面に設けられ、天板５を床面に水平に支持する脚部６と、脚部６の嵌合部の切欠内に面する側面に一乃至複数個配設され浴槽側壁に吸着する吸着部材とを備える。脚部６は天板５の上面が浴槽２の槽縁上面と略面一となるように、高さが調節されている。【選択図】図１
2013150742.tif 000002
【特許請求の範囲】
【請求項１】
くの字型の切欠状の嵌合部が形成され、前記嵌合部以外の周縁辺が弧状に形成された平板状の天板と、
前記天板を平面視したときに前記嵌合部の切欠内に突出しないように、前記天板の下面に設けられ、伸縮自在な高さ調節部を有し、前記天板を床面に水平に支持するように形成された脚部と、
前記嵌合部の切欠内に面する前記脚部の側面に一乃至複数個配設され、前記嵌合部に嵌合される浴槽側壁に吸着する吸着部材と、を備えた入浴補助座具。
【請求項２】
少なくとも一つの角部を有する浴槽と、
前記浴槽の一の角部の外壁に嵌合する脱着自在の外側補助座具と、を備え、
前記外側補助座具は、
前記浴槽の一の角部に嵌合可能な、くの字型の切欠状の嵌合部が形成され、前記嵌合部以外の周縁辺が弧状に形成された平板状の天板と、
前記天板を平面視したときに前記嵌合部の切欠内に突出しないように、前記天板の下面に設けられ、前記天板を床面に水平に支持するように形成された脚部と、
前記嵌合部の切欠内に面する前記脚部の側面に一乃至複数個配設され、前記嵌合部に嵌合される浴槽側壁に吸着する吸着部材と、を備え、
前記脚部は前記天板の上面が前記浴槽の槽縁上面と略面一となるように、高さが設定されていることを特徴とする身体障害者用浴槽装置。
【請求項３】
前記外側補助座具が設置される前記浴槽の角部の槽内底部に脱着自在に配設される内側補助座具を備え、
前記内側補助座具は、
扇形状に形成された平板状の天板と、
前記天板を前記浴槽の内底面に水平に支持する脚部と、
前記脚部の底面に一乃至複数個配設され、前記浴槽の内底面に吸着する吸着部材と、を備え、
前記脚部は前記天板の上面が、前記浴槽の内底面から上縁上面までの高さよりも低い高さとなるように、高さが設定されていることを特徴とする請求項２記載の身体障害者用浴槽装置。
【発明の詳細な説明】
【技術分野】
【０００１】
本発明は、膝を十分に曲げることができない障害を持つ身体障害者が単独で入浴するのを補助するために使用される入浴補助座具及び身体障害者用浴槽装置に関する。
【背景技術】
【０００２】
膝を十分に曲げることができない障害を持つ身体障害者が独力で入浴する場合、身体障害者は一旦浴槽の槽縁上に腰掛けて、尻を軸に回転しながら足を曲げないようにして槽縁上を乗り越えて浴槽内に体を移動させる必要がある。従って、浴槽の槽縁上腰掛けるためのスペースが必要とされ、そのための入浴補助座具が多く提案されている。従来の身体障害者用の入浴補助座具又は浴槽装置としては、特許文献１−１８に記載のものが公知である。これらを整理すると、次のように分類される。
【０００３】
（１）特許文献１−３に記載の入浴補助座具は、浴槽の側壁の槽外側乃至槽縁上に、浴槽縁と同じ高さの取り外し自在の座台を備えたものである。
【０００４】
（２）特許文献４に記載の入浴補助座具は、浴槽の側壁の槽内側に、浴槽縁と同じ高さの取り外し自在の座台を備えたものである。
【０００５】
（３）特許文献５に記載の入浴補助座具は、浴槽の側壁に、浴槽縁と同じ高さの取り外し自在の移動式座台を備えたものである。
【０００６】
（４）特許文献６，７に記載の入浴補助座具は、浴槽の上縁一角を槽内側に広げ、浴槽縁と同じ高さの座台を形成したものである。
【０００７】
（５）特許文献８−１０に記載の入浴補助座具は、浴槽の上縁一角を槽外側に広げ、浴槽縁と同じ高さの座台を形成したものである。
【０００８】
（６）特許文献１１−１２に記載の入浴補助座具は、浴槽の上縁一角に回転式の座台を取り付けたものである。
【０００９】
（７）特許文献１３−１６に記載の入浴補助座具は、浴槽の側壁に固定式又は折りたたみ式の座台を付設したものである。
【先行技術文献】
【特許文献】
【００１０】
【特許文献１】特開２０００−１８９３０４号公報
【特許文献２】実用新案登録第３０３５５０８号公報
【特許文献３】特開２００２−３２５６９４号公報
【特許文献４】特開２００１−４６２６０号公報
【特許文献５】特開平９−２３８８６４号公報
【特許文献６】実開平５−２８３３５号公報
【特許文献７】特開２００３−１０２８０５号公報
【特許文献８】特開２０００−３００６３６号公報
【特許文献９】特開２００３−３０５１０２号公報
【特許文献１０】特開２００１−４６２５８号公報
【特許文献１１】特開２００１−２７５８６９号公報
【特許文献１２】特開２００４−１３５９８７号公報
【特許文献１３】特開２００４−３２９５５４号公報
【特許文献１４】特開２０００−１４５７７号公報
【特許文献１５】実開平７−１７１８６号公報
【特許文献１６】実開平７−１７１８７号公報
【発明の概要】
【発明が解決しようとする課題】
【００１１】
（ａ）上記特許文献１−３の入浴補助座具は、四角い椅子状の座具を浴槽の長辺上縁に取り付けるものであるが、実際に身体障害者が使用した場合、足を回転させた際に浴槽の短辺側の縁に足が閊えてしまい、半ば回転した状態から体を腕で支えながら尻を浴槽内に移動させつつ同時に足を浴槽内に移動させなければならず、実際に使用するとたいへんに使い勝手が悪いという問題がある。
【００１２】
（ｂ）特許文献４の入浴補助座具は、座面が浴槽内側にあり、座面まで尻を移動させるのが難しいという問題、及び浴槽の長辺の長さが十分長くなければ、座具が邪魔になって足を伸ばしたままの状態で浴槽に肩まで浸かることができないという問題がある。
【００１３】
（ｃ）その点、特許文献５の入浴補助座具は、座面が移動するために上記のような（ｂ）のような問題は生じないが、座面を浴槽内に移動させた後に、体を片腕で支えつつもう一方の腕で座面を浴槽外に押し出す必要があり、使い勝手が悪いという問題がある。また、浴槽から外に出る際に、足を伸ばした状態で、片腕で体を浴槽の縁より高くまでもち上げもう一方の手で座面を尻の下まで引き寄せる必要があり、使い勝手が悪いという問題がある。また、座面が移動して不安定であり、体の不自由な身体障害者にとってはバランスを崩しやすくなり、座面が不意に移動して転倒するおそれもある。
【００１４】
（ｄ）一方、特許文献６−１６の入浴補助座具は、座面を浴槽の上縁一角に設けているために、上記（ａ），（ｂ）のような問題はないが、固定式であるために、既存の浴槽に容易に適用することが難しく、浴槽の取り換えや改修が必要となるという問題がある。また、特許文献１１，１２のように回転式の座面とすると、座面が不意に移動してバランスを崩し転倒するおそれもある。
【００１５】
そこで、本発明の目的は、現実の使い勝手や安全性に優れ、既存の浴槽にも容易に適用でき、且つ安価に製造することが可能な入浴補助座具及び身体障害者用浴槽装置を提供することにある。
【課題を解決するための手段】
【００１６】
本発明に係る入浴補助座具は、くの字型の切欠状の嵌合部が形成され、前記嵌合部以外の周縁辺が弧状に形成された平板状の天板と、前記天板を平面視したときに前記嵌合部の切欠内に突出しないように、前記天板の下面に設けられ、伸縮自在な高さ調節部を有し、前記天板を床面に水平に支持するように形成された脚部と、前記嵌合部の切欠内に面する前記脚部の側面に一乃至複数個配設され、前記嵌合部に嵌合される浴槽側壁に吸着する吸着部材と、を備えたことを特徴とする。
【００１７】
この構成によれば、脚部の長さを調節して床面から天板までの高さを浴槽上縁の高さと同じとし、嵌合部を浴槽の角部の外壁に嵌合させ吸着部材を浴槽側壁に吸着させて固定することにより、既存の浴槽に入浴補助座具を固定することができる。入浴の際には、入浴者は、まず、足（膝）を伸ばしたままの状態で天板上面（以下「座面」という。）に腰掛ける。そして、尻を軸に足を伸ばしたまま回転し、足を浴槽を越えさせて浴槽内に入れる。そして、尻をずらしながら浴槽内へ進入する。天板は浴槽の外側に位置するため、入浴中に天板が邪魔になることはない。また、可動部がないため、入浴者が浴槽に入る際にバランスを崩して転倒する危険性も小さい。入浴補助座具は吸着部材を浴槽側壁に吸着固定されるため、入浴補助座具がズレ動く心配もない。また、構造が簡単であるため、安価に製造し提供することが可能である。また、引用文献１−５のように浴槽の側壁直線部に固定するのではなく浴槽の角部の外壁に嵌合部を嵌めて固定するため、固定強度が強く、使用時に入浴補助座具が浴槽からズレることが効果的に防止され、使用時の安全性が向上する。
【００１８】
ここで、「吸着部材」としては、吸盤を使用することが好ましいが、浴槽がホウロウのように強磁性体の場合には磁石を使用してもよい。また、「高さ調節部」の構造は、どのような構造としてもよい。例えば、脚部の底面にアジャスタ（調節器）を設けたり、脚部をネジ式やギア式として伸縮自在に構成したりすることもできる。
【００１９】
本発明に係る入浴補助座具は、少なくとも一つの角部を有する浴槽と、前記浴槽の一の角部の外壁に嵌合する脱着自在の外側補助座具と、を備え、前記外側補助座具は、前記浴槽の一の角部に嵌合可能な、くの字型の切欠状の嵌合部が形成され、前記嵌合部以外の周縁辺が弧状に形成された平板状の天板と、前記天板を平面視したときに前記嵌合部の切欠内に突出しないように、前記天板の下面に設けられ、前記天板を床面に水平に支持するように形成された脚部と、前記脚部の前記嵌合部の切欠内に面する側面に一乃至複数個配設され、前記嵌合部に嵌合される浴槽側壁に吸着する吸着部材と、を備え、前記脚部は前記天板の上面が前記浴槽の槽縁上面と略面一となるように、高さが設定されていることを特徴とする。
【００２０】
また、本発明に係る入浴補助座具において、前記外側補助座具が設置される前記浴槽の角部の槽内底部に脱着自在に配設される内側補助座具を備え、前記内側補助座具は、扇形状に形成された平板状の天板と、前記天板を前記浴槽の内底面に水平に支持する脚部と、前記脚部の底面に一乃至複数個配設され、前記浴槽の内底面に吸着する吸着部材と、を備え、前記脚部は前記天板の上面が、前記浴槽の内底面から槽縁上面までの高さよりも低い高さとなるように、高さが設定されている構成とすることもできる。
【００２１】
このように、浴槽内に内側補助座具を設けることにより、入浴者が浴槽から出る際には、まず、足を伸ばした状態で尻を内側補助座具に載せて体を槽底から浮かせ、その後腕の力で尻を浴槽上縁までずらし、そのまま水平に尻を移動させて外側補助座具の天板上まで移動することで、入浴者が浴槽から出るのが容易となる。また、内側補助座具は、吸着部材により浴槽内底面に固定するだけで容易に設置できるため、既設の浴槽を改修することなしに本発明を適用することが可能である。
【発明の効果】
【００２２】
以上のように、本発明によれば、既設の浴室においても改修工事をすることなく入浴補助座具を容易に取り付けることができる。また、膝を十分に曲げることができない障害を持つ身体障害者が独力で入浴する際に、足の移動や尻の移動が容易であり、使い勝手のよい入浴補助座具及び身体障害者用浴槽装置を提供することができる。また、構造が簡単であり、製造コストも安いため、安価に提供することができる。
【図面の簡単な説明】
【００２３】
【図１】本発明の実施例１に係る身体障害者用浴槽装置１の斜視図である。
【図２】外側補助座具３の斜視図である。
【図３】外側補助座具３の（ａ）底面図、及び（ｂ）Ａ−Ａ線矢視側面図である。
【図４】内側補助座具４の斜視図である。
【図５】内側補助座具４の（ａ）底面図、及び（ｂ）Ａ−Ａ線矢視側面図である。
【図６】本実施例に係る身体障害者用浴槽装置１の使用方法を説明する図である。
【発明を実施するための形態】
【００２４】
以下、本発明を実施するための形態について、図面を参照しながら説明する。
【実施例１】
【００２５】
図１は、本発明の実施例１に係る身体障害者用浴槽装置１の斜視図である。身体障害者用浴槽装置１は、平面視で略方形状の浴槽２、浴槽２の一の角部の外壁に嵌合する脱着自在の外側補助座具３（本発明に係る入浴補助座具）、及び外側補助座具３が設置される浴槽２の角部の槽内底部に脱着自在に配設される内側補助座具４を備えている。外側補助座具３の天板５の上面は、浴槽２の上縁上面２ａと略面一となるように、高さが設定されている。また、内側補助座具４の天板１１の上面の高さは、浴槽２の内底面２ｂから上縁上面２ａまでの高さよりも低く（図１の実施例では、略１／２程度）設定されている。
【００２６】
図２は、外側補助座具３の斜視図、図３は外側補助座具３の（ａ）底面図、及び（ｂ）Ａ−Ａ線矢視側面図である。外側補助座具３は、天板５、４本の脚部６，６，６，６、補強部材７、４つのアジャスタ８，８，８，８、及び４つの吸着部材９，９，９，９を備えている。天板５は、くの字型の切欠状の嵌合部５ａが形成され、嵌合部５ａ以外の周縁辺５ｂが弧状に形成された平板で構成されている。図３では周縁辺５ｂを円弧に形成した例を示すが、本発明では周縁辺５ｂの形状は弧状であれば必ずしも円弧でなくてもよい（例えば、楕円弧状にしてもよい）。
【００２７】
４つの脚部６，６，６，６は、それぞれ、断面円形の棒状部材で構成されている。各脚部６は、天板５の底面に固定されており、図３（ａ）に示すように、前側（嵌合部５ａ側）２本は嵌合部５ａの切欠面に面する位置に対称に配置され、後側（嵌合部５ａと逆側）２本は天板５の周縁辺５ｂ付近に対称に配置されている。各脚部６，６，６，６の長さは等しく構成され、床面に置いたときに天板５を床面に水平に支持するようにされている。尚、本発明では、脚部６の形状は図１−３に示すものに限らず、例えば、図４の脚部１２（後述）のように板状に構成してもよい。
【００２８】
各脚部６の底面にはアジャスタ８が設けられており、このアジャスタ８が伸縮自在な高さ調節部となっている。図２−３のアジャスタ８ネジ式であり、回転させることによりネジにより伸縮する。これによって、天板５の上面を浴槽２の上縁上面２ａとちょうど面一となるように調節することができる。
【００２９】
補強部材７は、上側が天板５の底面に固定されるとともに、各脚部６，６，６，６を繋ぐように十字状に掛け渡して設けられた板状部材である。補強部材７は、各脚部６，６，６，６ががたつかないように補強する。
【００３０】
４つの吸着部材９，９，９，９は、前側の２本の脚部６，６の嵌合部５ａに面した側の側面に上下に２つずつ設けられている。各吸着部材９は吸盤で構成されており、嵌合部５ａを図１のように浴槽２の角部外側に嵌合させた際に、浴槽３の外壁面に吸着し、外側補助座具３をしっかりと固定する。
【００３１】
図４は、内側補助座具４の斜視図、図５は内側補助座具４の（ａ）底面図、及び（ｂ）Ａ−Ａ線矢視側面図である。内側補助座具４は、天板１１、２つの脚部１２，１２、補強部材１３、及び４つの吸盤１４，１４，１４，１４を備えている。天板１１は、扇形状に形成された平板である。脚部１２，１２は、天板１１の底面に左右対称に設けられた短板状の部材からなる。各脚部１２の底面には、それぞれ２つの吸盤１４，１４が設けられている。吸盤１４は、浴槽２内に内側補助座具４を設置した際に、浴槽２の内底面２ｂに吸着し、内側補助座具４を固定する。補強部材１３は、補強のために両脚部１２，１２の中央に掛け渡して設けられた板状部材である。
【００３２】
脚部１２，１２は天板１１の上面が、浴槽２の内底面２ｂから上縁上面２ａまでの高さよりも低い高さとなるように、高さが調節されている。具体的には、入浴者が浴槽２から出る際の使いやすさの観点から、上縁上面２ａの高さの半分以下の高さとするのが好ましい。
【００３３】
以上のように構成された本実施例の身体障害者用浴槽装置１について、以下その使用方法を説明する。図６は、本実施例に係る身体障害者用浴槽装置１の使用方法を説明する図である。
【００３４】
（１）まず、膝を曲げにくい障害のある入浴者Ｐは、図６（ａ）のように、足を伸ばした状態で外側補助座具３の天板５上に腰掛ける。
【００３５】
（２）次に、この状態で、入浴者Ｐは、尻を軸として天板５上を回転するとともに、足を伸ばした状態で、足を浴槽２の上縁上面２ａを踰越させ、図６（ｂ）のように板５上に座った状態で浴槽２内に足を入れる。外側補助座具３の天板５の周縁辺５ｂは弧状に形成されているため、入浴者Ｐが天板５上を回転する際に、入浴者Pの足が引っ掛かり回転行動の際の障碍となる角がなく、入浴者Ｐは天板５上を容易に回転することができる。
【００３６】
（３）次に、入浴者Ｐは、浴槽２の角部の左右の上縁上面２ａを手で持ち、両腕で体を支えながら尻を浴槽２内にずらし、図６（ｃ）のように浴槽２内の内側補助座具４に腰掛ける。
【００３７】
以上のようにして、入浴者Ｐは、足を伸ばしたままの状態で、独力で浴槽２内に入ることができる。入浴者Ｐが浴槽２から出る場合には、（３）（２）（１）の順序で動くことにより、独力で容易に浴槽２から出ることが可能である。
【００３８】
本実施例の身体障害者用浴槽装置１では、外側補助座具３は、浴槽２の側壁直線部に固定される（引用文献１−５参照）のではなく、浴槽２の角部外壁に嵌合部５ａを嵌めて固定し、さらに吸着部材９により該角部を挟む２つの外壁にそれぞれ吸着固定されるため、固定強度が強く、使用時に外側補助座具３が浴槽２からズレたりガタついたりすることがなく、使用時に外側補助座具３が不意にズレたり傾いたりして使用者Ｐが転倒するといったような偶発事故を効果的に防止することができる。内側補助座具４についても同様に浴槽２の角部に固定するため、固定強度が強く、同様のことがいえる。
【００３９】
尚、本発明においては、外側補助座具３や内側補助座具４の本体の材質に関しては、どのようなものを使用してもよいが、軽量性、壊れにくさ、美観、使い勝手のよさ等の観点から、木材を使用することが好ましい。木材を使用すれば、天板５の表面が適度な摩擦係数を持つため、入浴時に入浴者Ｐが腰掛けた状態で体を傾けた際に、天板５上を尻が不意に滑って転倒するといった偶発事故を効果的に防止することができるとともに、過度に滑りにくくもないため入浴者Ｐが天板５上で尻をずらすことも容易である。また、木材を使用することで、最後に廃棄する際に、吸着部材９，１４とアジャスタ８を取るだけで燃やせるごみ（可燃物）として処分することができ、最終処分費用がかからないというメリットもある。特に、美観やコストの観点から、杉や檜等の間伐材を利用することが好適である。
【符号の説明】
【００４０】
１  身体障害者用浴槽装置
２  浴槽
２ａ  上縁上面
２ｂ  内底面
３  外側補助座具（本発明に係る入浴補助座具）
４  内側補助座具
５，１１  天板
５ａ  嵌合部
５ｂ  周縁辺
６，１２  脚部
７，１３  補強部材
８  アジャスタ
９，１４  吸着部材
Ｐ  入浴者
【図１】
2013150742.tif 000003
【図２】
2013150742.tif 000004
【図３】
2013150742.tif 000005
【図４】
2013150742.tif 000006
【図５】
2013150742.tif 000007
【図６】
2013150742.tif 000008
【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
くの字型の切欠状の嵌合部が形成され、前記嵌合部以外の周縁辺が弧状に形成された平板状の天板と、
前記天板を平面視したときに前記嵌合部の切欠内に突出しないように、前記天板の下面に設けられ、伸縮自在な高さ調節部を有し、前記天板を床面に水平に支持するように形成された複数の脚部と、
前記嵌合部の切欠内に面する前記脚部の側面に複数個配設され、前記嵌合部に嵌合される浴槽側壁に着脱自在な吸着部材と、を備え、
前記各脚部は、少なくとも、くの字型の前記嵌合部の折れ曲がり部分を挟む両側の直線部の切欠内に面するように配設され、前記吸着部材は、それぞれの前記直線部に面する前記脚部の側面に上下に２つずつ設けられていることを特徴とする入浴補助座具。
【請求項２】
少なくとも一つの角部を有する浴槽と、
前記浴槽の一の角部の外壁に嵌合する脱着自在の外側補助座具と、を備え、
前記外側補助座具は、
前記浴槽の一の角部に嵌合可能な、くの字型の切欠状の嵌合部が形成され、前記嵌合部以外の周縁辺が弧状に形成された平板状の天板と、
前記天板を平面視したときに前記嵌合部の切欠内に突出しないように、前記天板の下面に設けられ、前記天板を床面に水平に支持するように形成された複数の脚部と、
前記嵌合部の切欠内に面する前記脚部の側面に複数個配設され、前記嵌合部に嵌合される浴槽側壁に着脱自在な吸着部材と、を備え、
前記各脚部は、少なくとも、くの字型の前記嵌合部の折れ曲がり部分を挟む両側の直線部の切欠内に面するように配設され、前記吸着部材は、それぞれの前記直線部に面する前記脚部の側面に上下に２つずつ設けられ、且つ前記各脚部は前記天板の上面が前記浴槽の槽縁上面と略面一となるように、高さが設定されていることを特徴とする身体障害者用浴槽装置。
【請求項３】
前記外側補助座具が設置される前記浴槽の角部の槽内底部に脱着自在に配設される内側補助座具を備え、
前記内側補助座具は、
扇形状に形成された平板状の天板と、
前記天板を前記浴槽の内底面に水平に支持する脚部と、
前記脚部の底面に一乃至複数個配設され、前記浴槽の内底面に吸着する吸着部材と、を備え、
前記脚部は前記天板の上面が、前記浴槽の内底面から上縁上面までの高さよりも低い高さとなるように、高さが設定されていることを特徴とする請求項２記載の身体障害者用浴槽装置。